(57)【要約】【課題】内容的に余分な空白がないコンテンツを表示させる場合であっても、販促効果を向上させることが可能なプログラム、情報処理装置及び情報処理方法を提供する。【解決手段】情報処理装置（端末装置２０）のコンピュータを、コンテンツを表示手段（表示部２３）にスクロール可能に表示させる表示制御手段２１１、表示手段に表示されたページに対するユーザ操作を検出する検出手段２１２、として機能させる。また、表示制御手段２１１は、検出手段２１２によりユーザによるスクロール操作が検出されている最中に、コンテンツのうち強調したい部分のみをスクロールの停止中と比べて強調表示させる。【選択図】図１
2019101651.tif 000002
【特許請求の範囲】
【請求項１】
コンピュータを、
コンテンツを表示手段にスクロール可能に表示させる表示制御手段、
前記表示手段に表示されたページに対するユーザ操作を検出する検出手段、
として機能させ、
前記表示制御手段は、前記検出手段によりユーザによるスクロール操作が検出されている最中に、前記コンテンツのうち強調したい部分のみをスクロールの停止中と比べて強調表示させることを特徴とするプログラム。
【請求項２】
前記表示制御手段は、前記検出手段によりユーザによるスクロール操作が検出されている最中のみ、強調表示させることを特徴とする請求項１に記載のプログラム。
【請求項３】
前記表示制御手段は、前記強調表示の際、前記強調したい部分と関連する情報を表示させることを特徴とする請求項１又は２に記載のプログラム。
【請求項４】
前記コンテンツは、内容的に余分な空白がないコンテンツであることを特徴とする請求項１〜３のいずれか一項に記載のプログラム。
【請求項５】
前記コンテンツは、電子番組表であり、
前記表示制御手段は、前記電子番組表に含まれる番組のうち特定の番組の欄のみ、強調表示させることを特徴とする請求項１〜４のいずれか一項に記載のプログラム。
【請求項６】
前記表示制御手段は、前記強調表示の際、前記特定の番組の欄のみ、空白又は地色で表示させることを特徴とする請求項５に記載のプログラム。
【請求項７】
前記表示制御手段は、前記強調表示の際、前記スクロールの停止中は番組内容を文字で表示する番組欄に、番組に関連する画像を表示させることを特徴とする請求項５に記載のプログラム。
【請求項８】
前記表示制御手段は、前記強調表示の際、番組のカテゴリに対応した色で番組欄を表示させることを特徴とする請求項５に記載のプログラム。
【請求項９】
前記表示制御手段は、前記強調表示の際、番組の放送時間帯に対応した色で番組欄を表示させることを特徴とする請求項５に記載のプログラム。
【請求項１０】
前記コンテンツは、地図であり、
前記表示制御手段は、前記地図に含まれる施設のうち特定の施設のみ、強調表示させることを特徴とする請求項１〜４のいずれか一項に記載のプログラム。
【請求項１１】
前記表示制御手段は、前記強調表示の際、前記特定の施設のみ、空白又は地色で表示させることを特徴とする請求項１０に記載のプログラム。
【請求項１２】
前記表示制御手段は、前記地図に含まれる施設のうちプロモーション対象の施設のみ、強調表示させることを特徴とする請求項１０に記載のプログラム。
【請求項１３】
前記表示制御手段は、前記地図に含まれる施設のうち所定の規模以上の施設のみ、強調表示させることを特徴とする請求項１０に記載のプログラム。
【請求項１４】
前記表示制御手段は、前記地図に含まれる施設のうち検索結果に係る施設のみ、強調表示させることを特徴とする請求項１０に記載のプログラム。
【請求項１５】
前記表示制御手段は、前記強調表示の際、白抜き表示、虹色表示、モザイク表示及び発光表示のうちいずれか一を強調態様として選択することを特徴とする請求項１〜１４のいずれか一項に記載のプログラム。
【請求項１６】
前記表示制御手段は、スクリプト、アプリ及びアドオンのうちいずれか一により、前記強調表示を実現することを特徴とする請求項１〜１５のいずれか一項に記載のプログラム。
【請求項１７】
前記表示制御手段は、前記検出手段による前記スクロール操作の検出が完了した後、所定時間強調表示を継続させることを特徴とする請求項１〜１６のいずれか一項に記載のプログラム。
【請求項１８】
前記表示制御手段は、前記強調表示の際、前記ユーザの属性に基づいた強調態様により、強調表示させることを特徴とする請求項１〜１７のいずれか一項に記載のプログラム。
【請求項１９】
前記表示制御手段は、前記強調表示の際、前記強調表示を実施するための条件をスコア化し、そのスコアに基づいて優先順位を決定することを特徴とする請求項１〜１８のいずれか一項に記載のプログラム。
【請求項２０】
コンテンツを表示手段にスクロール可能に表示させる表示制御手段と、
前記表示手段に表示されたページに対するユーザ操作を検出する検出手段と、
を備え、
前記表示制御手段は、前記検出手段によりユーザによるスクロール操作が検出されている最中に、前記コンテンツのうち強調したい部分のみをスクロールの停止中と比べて強調表示させることを特徴とする情報処理装置。
【請求項２１】
情報処理装置の情報処理方法であって、
コンテンツを表示手段にスクロール可能に表示させる表示制御ステップと、
前記表示手段に表示されたページに対するユーザ操作を検出する検出ステップと、
を含み、
前記表示制御ステップは、前記検出ステップでユーザによるスクロール操作が検出されている最中に、前記コンテンツのうち強調したい部分のみをスクロールの停止中と比べて強調表示させることを特徴とする情報処理方法。
【発明の詳細な説明】
【技術分野】
【０００１】
本発明は、プログラム、情報処理装置及び情報処理方法に関する。
【背景技術】
【０００２】
従来、テレビジョン（以下、テレビ）やラジオ等の番組表や地図等のコンテンツを、スクロール可能に表示させる技術が知られている。
その一例として、限られた処理能力でも円滑に表をスクロールできる見やすいウェブ表示を実現した技術が開示されている（例えば、特許文献１参照）。
【先行技術文献】
【特許文献】
【０００３】
【特許文献１】特開２０１３−２５７６８４号公報
【発明の概要】
【発明が解決しようとする課題】
【０００４】
しかしながら、時間とチャンネルの交差軸に沿った表示を要する番組表や、地上の構造や施設を忠実に表す地図は、内容的に余分な空白がないため、広告等の販促情報を効果的に表示させることができず、販促などへの活用が困難であった。
【０００５】
本発明は、内容的に余分な空白がないコンテンツを表示させる場合であっても、販促効果を向上させることが可能なプログラム、情報処理装置及び情報処理方法を提供することを目的とする。
【課題を解決するための手段】
【０００６】
上記課題を解決するため、本発明のプログラムは、
コンピュータを、
コンテンツを表示手段にスクロール可能に表示させる表示制御手段、
前記表示手段に表示されたページに対するユーザ操作を検出する検出手段、
として機能させ、
前記表示制御手段は、前記検出手段によりユーザによるスクロール操作が検出されている最中に、前記コンテンツのうち強調したい部分のみをスクロールの停止中と比べて強調表示させることを特徴とするプログラムである。
【発明の効果】
【０００７】
本発明によれば、内容的に余分な空白がないコンテンツを表示させる場合であっても、販促効果を向上させることができる。
【図面の簡単な説明】
【０００８】
【図１】本実施形態に係る情報処理システムを構成する各装置の主制御構成を示すブロック図である。
【図２】本実施形態に係る情報処理システムの動作の一例を示すフローチャートであ る。
【図３】テレビ番組のデータをテーブル形式で管理する番組テーブルの一例を示す図である。
【図４】番組表画像の一例を示す図である。
【図５】番組表画像が表示部に表示された様子の一例を示す図である。
【図６】スクロールの最中に、強調したい特定の番組欄を空白で表示させた様子の一例を示す図である。
【図７】スクロールの最中に、強調したい特定の番組欄に、出演者の画像を表示させた様子の一例を示す図である。
【図８】番組表画像のスクロールが完了して停止した状態の一例を示す図である。
【図９】地図が表示部に表示された様子の一例を示す図である。
【図１０】スクロールの最中に、プロモーション対象の施設のみ、強調表示させた様子の一例を示す図である。
【図１１】スクロールの最中に、所定の規模以上の施設のみ、強調表示させた様子の一例を示す図である。
【図１２】地図のスクロールが完了して停止した状態の一例を示す図である。
【図１３】商業施設が表示部にマトリックス状に表示された様子の一例を示す図である。
【図１４】スクロールの最中に、プロモーション対象の施設のみ、強調表示させた様子の一例を示す図である。
【図１５】商業施設をマトリックス状に表示させたページのスクロールが完了して停止した状態の一例を示す図である。
【発明を実施するための形態】
【０００９】
以下、本発明の実施の形態について、図面を参照して詳細に説明する。
【００１０】
［１．構成の説明］
以下、図面を参照しながら、この発明の一実施形態について詳しく説明する。
本実施形態に係る情報処理システム１は、図１に示すように、サーバー１０と、端末装置（情報処理装置）２０と、を備えて構成されている。情報処理システム１を構成する各装置は、通信ネットワークＮに接続される。通信ネットワークＮは、具体的には、インターネットや電気通信事業者等の電話回線網や携帯電話通信網等である。
【００１１】
サーバー１０は、テレビの電子番組表（以下、単に番組表と表記することもある）を提供する会社が保有するＰＣ、ＷＳ（Work Station）等の情報機器であり、ＣＰＵなどの制御部と、主メモリや補助記憶装置等の記憶部と、通信ネットワークＮとの通信を行う通信機器や通信アダプタなどの通信部と、を備える（図示省略）。
【００１２】
サーバー１０は、端末装置２０等からのアクセスに応じて所定の動作を行う。具体的には、サーバー１０は、端末装置２０からテレビの番組表を表示させるためのウェブページの取得要求がなされると、要求元の端末装置２０に対象のウェブページのページデータを送信する。サーバー１０は、１台で構成されるものとするが、これに限定されるものではなく、複数台の装置から構成されるものとしてもよい。
【００１３】
端末装置２０は、スマートフォンやタブレットなどのスマートデバイス、携帯電話機等の各ユーザが所持して使用する携帯型端末機器である。ただし、端末装置２０は、デスクトップＰＣ等の据え置き型の端末装置としてもよい。端末装置２０には、テレビの番組表やその他のコンテンツを表示させることが可能なウェブブラウザＷＢがインストールされている。端末装置２０は、通信ネットワークＮ（具体的には、端末装置２０の通信回線や無線ＬＡＮ等）を用いて、サーバー１０との間で相互に通信を行う。
【００１４】
端末装置２０は、制御部２１と、操作部２２と、表示部２３と、記憶部２４と、通信部２５と、を備えて構成されている。
【００１５】
制御部２１は、端末装置２０の動作を中央制御する。具体的には、制御部２１は、ＣＰＵ、ＲＯＭ、ＲＡＭなどを備えて構成され、ＲＡＭの作業領域に展開されたＲＯＭや記憶部２４に記憶されたプログラムデータとＣＰＵとの協働により、端末装置２０の各部を統括制御する。
【００１６】
操作部２２は、例えば、ホームボタン等からなるキー入力部と、表示部２３と一体的に形成されたタッチパネルと、を備え、ユーザからの操作入力を受け付けて、操作入力に応じた操作信号を制御部２１へと出力する。
表示部（表示手段）２３は、例えば、ＬＣＤ、有機ＥＬ素子を用いたＦＰＤなどのディスプレイを備え、制御部２１から出力された表示制御信号に基づいた画像を表示画面に表示する。例えば、表示部２３は、ウェブブラウザＷＢが起動されると、ユーザの操作（ウェブページの取得要求）に応じてサーバー１０から送信されたウェブページのページデータに基づく画面（例えば、テレビの番組表）を表示する。
【００１７】
記憶部２４は、例えば、ＨＤＤ、半導体メモリなどにより構成され、プログラムデータや各種設定データ等のデータを制御部２１から読み書き可能に記憶する。また、記憶部２４は、サーバー１０から送信されたウェブページを閲覧するためのウェブブラウザＷＢを記憶する。また、記憶部２４は、サーバー１０から送信されたウェブページのページデータ及び当該ページデータに含まれるスクリプトを記憶する。
【００１８】
通信部２５は、通信用ＩＣ及び通信コネクタなどを有する通信インターフェイスであり、制御部２１の制御の下、所定の通信プロトコルを用いて通信ネットワークＮを介したデータ通信を行う。
【００１９】
本実施形態において、端末装置２０の制御部２１は、ウェブブラウザＷＢ上で、サーバー１０から送信されたウェブページのページデータに含まれるスクリプトを実行する（ブラウザ処理）ことで、本発明の各手段などの要素（表示制御手段２１１、検出手段２１２）を実現する。
【００２０】
例えば、制御部２１は、コンテンツを表示部２３にスクロール可能に表示させる表示制御手段２１１を実現する。
また、制御部２１は、表示部２３に表示されたページに対するユーザ操作を検出する検出手段２１２を実現する。
【００２１】
本発明のプログラムは、端末装置２０の制御部２１を、表示制御手段２１１、検出手段２１２として機能させる。
【００２２】
［２．動作の説明］
次に、本実施形態に係る情報処理システム１の具体的な動作について、図２のフローチャートを参照して説明する。
本実施形態では、端末装置２０のユーザによりウェブブラウザＷＢが起動され、ユーザの要求に伴い、テレビの番組表を表示させるためのウェブページのページデータがサーバー１０から送信された場合を例示して説明する。
【００２３】
まず、制御部２１は、サーバー１０から送信されたウェブページのページデータに含まれるスクリプトを実行し、複数のテレビ番組のデータを取得する（ステップＳ１０１）。ステップＳ１０１で取得されたテレビ番組のデータは、テーブル形式で記憶部２４に記憶される。
【００２４】
図３に、テレビ番組のデータをテーブル形式で管理する番組テーブルＴ１の一例を示す。番組テーブルＴ１は、テレビ番組のデータを識別するための識別ＩＤＴ１１、テレビ番組を放送するチャンネルの番号Ｔ１２や名称Ｔ１３、テレビ番組の放送日Ｔ１４、開始時刻Ｔ１５、終了時刻Ｔ１６、タイトルＴ１７、詳細説明Ｔ１８、スクロール表示時の強調表示の有無を示す強調表示Ｔ１９のフィールドを有する。ここで、スクロール表示時の強調表示は、番組表を提供する会社がプロモーション対象としたいテレビ番組（例えば、広告料を受領したテレビ番組など）につき、番組表のスクロール表示時に強調表示させることで、当該テレビ番組をプロモーションする意図で行われる。
番組テーブルＴ１の１番目のレコードからは、識別ＩＤＴ１１が「９８７・・・」のテレビ番組が、チャンネル「１：ＮＨＫ総合・東京」において、「６月７日  ２０：３０〜２０：４５」に、「きょうの健康」というタイトルＴ１７で放送される番組である旨を読み取ることができる。
【００２５】
次に、制御部２１は、ステップＳ１０１で取得した複数のテレビ番組のデータに基づいて、テレビ番組表の画像（番組表画像Ｇ１）を生成する（ステップＳ１０２）。
図４に、番組表画像Ｇ１の一例を示す。番組表画像Ｇ１は、時刻見出しＧ１１と、チャンネル見出しＧ１２と、番組表示欄Ｇ１３と、を含んで構成される。
【００２６】
次に、制御部２１は、ステップＳ１０２で生成した番組表画像Ｇ１を表示部２３にスクロール可能に表示させる（ステップＳ１０３）。すなわち、制御部２１は、本発明の表示制御手段２１１として機能する。
図５に、番組表画像Ｇ１が表示部２３に表示された様子の一例を示す。図５に示す画面は、特にスクロール操作が行われておらず、停止した状態であるので、特に強調表示は行われていない。
なお、図５では、番組表画像Ｇ１のうち表示部２３に収まらない非表示の部分を、説明の便宜上、半透過的に表現している。
【００２７】
次に、制御部２１は、ステップＳ１０３で表示部２３に表示された番組表画像Ｇ１に対するスクロール操作を検出したか否かを判定する（ステップＳ１０４）。すなわち、制御部２１は、本発明の検出手段２１２として機能する。
制御部２１は、スクロール操作を検出したと判定した場合（ステップＳ１０４：ＹＥＳ）、ステップＳ１０５へと移行する。
一方、制御部２１は、スクロール操作を検出していないと判定した場合（ステップＳ１０４：ＮＯ）、そのまま（番組表画像Ｇ１を表示部２３に表示させたまま）処理を終了する。
【００２８】
ステップＳ１０５において、制御部２１は、ステップＳ１０３で表示部２３に表示された番組表画像Ｇ１のスクロール表示時において、強調したい部分（テレビ番組）が存在するか否かを判定する。具体的には、制御部２１は、番組テーブルＴ１を参照し、強調表示Ｔ１９のフィールドが「有」となっているテレビ番組が存在する場合に、強調したいテレビ番組が存在すると判定する。
制御部２１は、強調したいテレビ番組が存在すると判定した場合（ステップＳ１０５：ＹＥＳ）、ステップＳ１０６へと移行する。
一方、制御部２１は、強調したいテレビ番組が存在しないと判定した場合（ステップＳ１０５：ＮＯ）、ステップＳ１０３で表示させた番組表画像Ｇ１をそのままスクロール表示させる（ステップＳ１０７）。その後、ステップＳ１０８へと移行する。
【００２９】
ステップＳ１０６において、制御部２１は、検出手段２１２によりユーザによるスクロール操作が検出されている（すなわち、スクロール表示されている）最中に、ステップＳ１０３で表示させた番組表画像Ｇ１（電子番組表）に含まれる番組のうち強調したい特定の番組（プロモーション対象としたい番組）の欄のみを、スクロールの停止中と比べて異なる表示とさせることで強調表示させる（見た目を変えて目立たせる）。その後、ステップＳ１０８へと移行する。
【００３０】
ここで、強調したい特定の番組の欄のみ強調表示させる一つの態様として、例えば、強調したい特定の番組欄を空白又は地色で表示させる構成を挙げることができる。図６に、スクロールの最中に、強調したい特定の番組欄を空白で表示させた様子の一例を示す。図６の符号Ｆは手指であり、手指Ｆにより矢印Ａ１の方向にスクロール操作が行われている。
本実施形態では、図３に示すように、番組テーブルＴ１の１番目のレコード（「きょうの健康」のレコード）の強調表示Ｔ１９のフィールドが「有」となっているため、「きょうの健康」の番組欄Ｃ１が強調表示される。図６に示す例では、「きょうの健康」の番組欄Ｃ１が空白で表示されている。
また、強調したい特定の番組欄を空白又は地色で表示させる代わりに、強調したい特定の番組欄にハッチングを施して表示させたり、チカチカ点滅表示させたりするようにしてもよい。
【００３１】
また、強調したい特定の番組の欄のみ強調表示させる他の態様として、例えば、強調表示の際、スクロールの停止中は番組内容を文字で表示する番組欄に、番組に関連する画像を表示させる構成を挙げることができる。ここで、番組に関連する画像とは、例えば、番組の一場面、出演者（登場人物）、番組ロゴなどである。また、画像は、静止画に限らす、動画も含まれる。図７に、強調したい特定の番組欄に、出演者の画像を表示させた様子の一例を示す。図７に示す例では、「きょうの健康」の番組欄Ｃ１に、出演者の画像が表示されている。
【００３２】
また、強調したい特定の番組の欄のみ強調表示させる他の態様として、例えば、強調表示の際、番組のカテゴリに対応した色で番組欄を表示させる構成を挙げることができる。例えば、強調したい番組のカテゴリが「ニュース」の場合は青色、「スポーツ」の場合は赤色、「アニメ」の場合は黄色、「バラエティ」の場合は緑色で番組欄を表示させる。
【００３３】
また、強調したい特定の番組の欄のみ強調表示させる他の態様として、例えば、強調表示の際、番組の放送時間帯に対応した色で番組欄を表示させる構成を挙げることができる。例えば、強調したい番組の放送時間帯が「朝」の場合は青色、「昼」の場合は黄色、「夕方」の場合はオレンジ色、「夜」の場合は緑色、「深夜」の場合は紫色で番組欄を表示させる。
【００３４】
ステップＳ１０８において、制御部２１は、スクロール表示された番組表画像Ｇ１のスクロールを停止させる。ステップＳ１０８の状態では、既に番組表画像Ｇ１のスクロールが完了しているため、ステップＳ１０６で強調表示された番組欄は、通常表示に戻っている。図８に、番組表画像Ｇ１のスクロールが完了して停止した状態の一例を示す。
【００３５】
［３．効果］
以上のように、本実施形態に係るプログラムは、情報処理装置（端末装置２０）のコンピュータを、コンテンツを表示手段（表示部２３）にスクロール可能に表示させる表示制御手段２１１、表示手段に表示されたページに対するユーザ操作を検出する検出手段２１２、として機能させる。また、表示制御手段２１１は、検出手段２１２によりユーザによるスクロール操作が検出されている最中に、コンテンツのうち強調したい部分のみをスクロールの停止中と比べて強調表示させる。
したがって、本実施形態に係るプログラムによれば、スクロールという情報の早送りの最中に、強調したい部分のみを強調表示させることで、スクロールを止めるきっかけを与えることができるので、内容的に余分な空白がないコンテンツを表示させる場合であっても、販促などへの活用を実施することができる。よって、販促効果を向上させることができる。
【００３６】
また、本実施形態に係るプログラムによれば、表示制御手段２１１は、検出手段２１２によりユーザによるスクロール操作が検出されている最中のみ、強調表示させる。
したがって、本実施形態に係るプログラムによれば、ユーザの操作感に合わせた形で強調したい部分を強調表示させることができるので、強調したい部分をユーザに強く印象付けることができる。
【００３７】
また、本実施形態に係るプログラムによれば、表示制御手段２１１は、強調表示の際、強調したい部分と関連する情報を表示させる。
したがって、本実施形態に係るプログラムによれば、強調したい部分を内容まで含めてより強くユーザに印象付けることができるので、販促効果を更に向上させることができる。
【００３８】
また、本実施形態に係るプログラムによれば、コンテンツは、電子番組表であり、表示制御手段２１１は、電子番組表に含まれる番組のうち特定の番組の欄のみ、強調表示させる。
したがって、本実施形態に係るプログラムによれば、内容的に余分な空白がない電子番組表を表示させる場合であっても、販促などへの活用を実施することができる。よって、販促効果を向上させることができる。
【００３９】
また、本実施形態に係るプログラムによれば、表示制御手段２１１は、強調表示の際、特定の番組の欄のみ、空白又は地色で表示させる。
したがって、本実施形態に係るプログラムによれば、空白又は地色で表示させるという簡易的な表示制御方法により強調したい番組を強調表示させることができるので、簡易な制御で販促効果の向上を実現することができる。
【００４０】
また、本実施形態に係るプログラムによれば、表示制御手段２１１は、強調表示の際、スクロールの停止中は番組内容を文字で表示する番組欄に、番組に関連する画像を表示させる。
したがって、本実施形態に係るプログラムによれば、番組の内容をわかりやすくユーザに認識させることができるので、強調したい番組をユーザに強く印象付けることができる。
【００４１】
また、本実施形態に係るプログラムによれば、表示制御手段２１１は、強調表示の際、番組のカテゴリに対応した色で番組欄を表示させる。
したがって、本実施形態に係るプログラムによれば、番組のカテゴリに対応した色で番組欄を表示させるという簡易的な表示制御方法により強調したい番組を強調表示させることができるので、簡易な制御で販促効果の向上を実現することができる。
【００４２】
また、本実施形態に係るプログラムによれば、表示制御手段２１１は、強調表示の際、番組の放送時間帯に対応した色で番組欄を表示させる。
したがって、本実施形態に係るプログラムによれば、番組の放送時間帯に対応した色で番組欄を表示させるという簡易的な表示制御方法により強調したい番組を強調表示させることができるので、簡易な制御で販促効果の向上を実現することができる。
【００４３】
以上、本発明に係る実施形態に基づいて具体的に説明したが、本発明は上記実施形態に限定されるものではなく、その要旨を逸脱しない範囲で変更可能である。
【００４４】
例えば、上記実施形態では、テレビ番組表を表示部２３に表示させる構成を例示して説明しているが、これに限定されるものではない。すなわち、内容的に余分な空白がないコンテンツであって、表示部２３にスクロール可能に表示可能なコンテンツであれば、いかなるコンテンツを表示する構成であってもよい。
【００４５】
［４．変形例］
例えば、図９に示す例では、テレビ番組表の代わりに、地図を表示部２３に表示させた構成が示されている。
この場合、制御部２１は、テレビ番組表を表示部２３に表示させる構成と同様、スクロール操作が検出されている最中に、地図に含まれる施設のうち特定の施設のみ、さまざまな強調表示（例えば、空白又は地色で表示、ハッチングを施して表示、チカチカ点滅表示等）を行う。
なお、変形例において、サーバー１０は、テレビ番組表を表示させるためのウェブページの代わりに、地図を表示させるためのウェブページを記憶している。
【００４６】
例えば、図１０に示す例では、地図に含まれる施設のうちプロモーション対象の施設ＦＡ１のみ、強調表示させた構成が示されている。ここで、図中の符号ＦＡ１は、地図を提供する会社がプロモーション対象としたい施設であり、例えば、広告料を受領したレストラン、テーマパーク等である。また、図中の符号Ｆは手指であり、手指Ｆにより矢印Ａ２の方向にスクロール操作が行われている。
これにより、ユーザに対し、プロモーションしたい施設のみを印象付けることができるので、適切な販促効果を期待することができる。
【００４７】
また、図１１に示す例では、地図に含まれる施設のうち所定の規模以上の施設ＦＡ２のみ、強調表示させた構成が示されている。ここで、図中の符号ＦＡ２は、所定の規模以上の施設である。所定の規模以上の施設ＦＡ２とは、例えば、売り場総面積が所定以上の１００均、スーパーなどのことである。売り場総面積が所定以上の店舗に限り強調することで、品揃えがよくユーザが興味を示しやすい店舗を抽出することができる。よって、販促効果の向上を期待することができる。
【００４８】
その他、地図に含まれる施設のうち検索結果に係る施設のみ、強調表示させる構成としてもよい。ここで、検索結果に係る施設とは、地図の検索欄に入力されたキーワードによる検索結果に応じた施設のことである。検索結果に係る施設には、今表示しているユーザ検索結果の施設や、最後に検索した条件に一致した施設などが含まれる。なお、施設を検索するためのキーワードとしては、居酒屋、ラーメン、コンビニといった業態に限られず、地名等であってもよい。
これにより、ユーザに対し、検索結果に係る施設のみを印象付けることができるので、ユーザの利便性を確保しつつ、適切な販促効果を期待することができる。
【００４９】
図１２に、地図のスクロールが完了して停止した状態の一例を示す。図１２に示す状態では、既に地図のスクロールが完了しているため、強調表示された施設（ＦＡ１、ＦＡ２）は、通常表示に戻っている。
【００５０】
以上のように、変形例に係るプログラムによれば、コンテンツは、内容的に余分な空白がないコンテンツである。
したがって、変形例に係るプログラムによれば、内容的に余分な空白がないコンテンツを表示させる場合であっても、販促などへの活用を実施することができる。よって、販促効果を向上させることができる。
【００５１】
また、変形例に係るプログラムによれば、コンテンツは、地図であり、表示制御手段２１１は、地図に含まれる施設のうち特定の施設のみ、強調表示させる。
したがって、変形例に係るプログラムによれば、内容的に余分な空白がない地図を表示させる場合であっても、販促などへの活用を実施することができる。よって、販促効果を向上させることができる。
【００５２】
また、変形例に係るプログラムによれば、表示制御手段２１１は、強調表示の際、特定の施設のみ、空白又は地色で表示させる。
したがって、変形例に係るプログラムによれば、空白又は地色で表示させるという簡易的な表示制御方法により強調したい施設を強調表示させることができるので、簡易な制御で販促効果の向上を実現することができる。
【００５３】
また、変形例に係るプログラムによれば、表示制御手段２１１は、地図に含まれる施設のうちプロモーション対象の施設のみ、強調表示させる。
したがって、変形例に係るプログラムによれば、ユーザに対し、プロモーションしたい施設のみを印象付けることができるので、適切な販促効果を期待することができる。
【００５４】
また、変形例に係るプログラムによれば、表示制御手段２１１は、地図に含まれる施設のうち所定の規模以上の施設のみ、強調表示させる。
したがって、変形例に係るプログラムによれば、品揃えがよくユーザが興味を示しやすい店舗を抽出することができるので、販促効果を更に向上させることができる。
【００５５】
また、変形例に係るプログラムによれば、表示制御手段２１１は、地図に含まれる施設のうち検索結果に係る施設のみ、強調表示させる。
したがって、変形例に係るプログラムによれば、ユーザに対し、検索結果に係る施設のみを印象付けることができるので、ユーザの利便性を確保しつつ、適切な販促効果を期待することができる。
【００５６】
［５．その他の変形例］
また、強調表示の態様の他の態様として、強調表示の際、白抜き表示、虹色表示、モザイク表示及び発光表示のうちいずれか一を強調態様として選択するようにしてもよい。これにより、白抜き表示、虹色表示、モザイク表示及び発光表示という簡易的な表示制御方法により強調したい部分を強調表示させることができるので、簡易な制御で販促効果の向上を実現することができる。
また、上記例に限らず、本発明では、対象のコンテンツを強調することが可能な態様であれば、いかなる態様を選択するようにしてもよい。
【００５７】
また、上記実施形態では、ウェブブラウザＷＢ上で、サーバー１０から送信されたウェブページのページデータに含まれるスクリプトを実行する（ブラウザ処理）ことで、本発明の各手段などの要素（表示制御手段２１１、検出手段２１２）を実現するようにしているが、これに限定されるものではない。例えば、スクリプトの代わりに、アプリ、アドオンを用いて本発明の各手段などの要素（表示制御手段２１１、検出手段２１２）を実現するようにしてもよい。
これにより、多様な表示制御方法により強調したい部分を強調表示させることができるので、設置環境に即した適切な強調表示を実現することができる。
【００５８】
また、本出願において、スクロールとは、上下方向へのスクロールに限定されるものではない。例えば、左右方向や斜め方向等、３６０°いずれの方向へのスクロールをも含むものとする。また、２次元的なスクロールに限らず、鳥瞰図のような３次元の空間が画面表示されている場合において、高さ方向への上下、斜めのスクロールをも含めるものとする。
【００５９】
また、例えば、地図のスクロール時に、表示されている選挙区における候補者の写真や動画を、選挙区内で表示させるようにしてもよい。
これにより、自身の選挙区における候補者を容易に認識することができるので、政治に対する興味関心の向上や投票率の向上等を期待することができる。
【００６０】
また、例えば、商業施設の外観の画像をマトリックス状にスクロール表示する構成において、スクロール表示時に特定の商業施設の外観の画像を、その商業施設が売り出し中の商品の画像に差し替えて表示させるようにしてもよい。特定の商業施設は、例えば、プロモーション対象としたい商業施設である。
【００６１】
図１３に、商業施設が表示部２３にマトリックス状に表示された様子の一例を示す。
図１３に示す例では、商業施設として、１列目に「［スイーツ＆ギフト］酒売場」、「［スイーツ＆ギフト］△△○」が、２列目に「［スイーツ＆ギフト］食品ギフトサロン」、「［スイーツ＆ギフト］洋菓子和菓子売場」が、３列目に「［おかず売場］リトル○○」、「［おかず売場］惣菜売場」が表示されている。図６の符号ＳＨ１は、プロモーション対象の商業施設である「［スイーツ＆ギフト］洋菓子和菓子売場」の表示欄を示している。
【００６２】
図１４に、スクロールの最中に、プロモーション対象の施設のみ、強調表示させた様子の一例を示す。図１４に示す例では、プロモーション対象の商業施設である「［スイーツ＆ギフト］洋菓子和菓子売場」の表示欄ＳＨ１に、「［スイーツ＆ギフト］洋菓子和菓子売場」が売り出し中の商品（ショートケーキ）の写真（画像）が表示されている。
【００６３】
図１５に、商業施設をマトリックス状に表示させたページのスクロールが完了して停止した状態の一例を示す。図１５に示す状態では、既にページのスクロールが完了しているため、強調表示された商業施設の表示欄ＳＨ１は、通常表示に戻っている。
このように、図１３〜図１５に示す変形例によれば、ユーザの操作感に合わせた形で強調したい部分を強調表示させることができるので、強調したい部分をユーザに強く印象付けることができる。
【００６４】
なお、図１３〜図１５では、商業施設を表示部２３にマトリックス状に表示させた構成を例示して説明しているが、これに限定されるものではない。例えば、大人数のアイドルグループのメンバーの画像を表示部２３にマトリックス状に表示させた構成を採用することも可能である。この場合、スクロールの最中に、特定のメンバーの画像のみ、出演中のイベントや映画、ドラマ等の宣伝用の画像に差し替えて表示させる。
このように、本発明は、さまざまなコンテンツに対して応用することが可能である。
【００６５】
また、上記実施形態では、スクロールの最中に強調表示させる対象が１つの場合を例示して説明しているが、これに限定されるものではない。すなわち、スクロールの最中に強調表示可能な構成であれば、強調表示させる対象は複数であってもよい。
これにより、プロモーションしたい側の事情に合わせた形で強調したい部分を強調表示させることができるので、プロモーションしたい側の意図に沿った販促効果を期待することができる。
【００６６】
また、上記実施形態では、検出手段２１２によりユーザによるスクロール操作が検出されている最中のみ、強調表示させるようにしているが、これに限定されるものではない。例えば、スクロール操作の検出が完了した後も、所定時間（例えば、３秒間）強調表示を継続させるようにしてもよい。ここで、所定時間とは、ユーザが強調表示の内容を十分に認識するために必要な時間のことである。
これにより、ユーザに強調表示の内容を十分認識させることができるので、強調したい部分をユーザにより確実に印象付けることができる。
【００６７】
また、所定時間強調表示を継続させる際、スクロール中とは強調表示の態様を変化させるようにしてもよい。例えば、スクロール中に対象の表示欄全体を虹色表示させるとともに、スクロールの完了後に対象の表示欄の枠部分のみ虹色表示させる等、スクロール中とスクロール後とで強調表示の態様を変化させるようにしてもよい。
【００６８】
また、上記実施形態では、一のスクロール操作において、一の態様の強調表示を行うようにしているが、これに限定されるものではない。例えば、スクロール操作の加速度の変化に基づいて、強調表示の態様を変化させるようにしてもよい。例えば、スクロール操作の加速度が大きければ大きいほど（すなわち、スクロールの速度が速ければ速いほど）、濃くみえるように濃淡を制御するようにしてもよい。
これにより、ユーザの操作感に合わせた形で強調したい部分を強調表示させることができるので、強調したい部分をユーザに強く印象付けることができる。
【００６９】
また、強調表示の態様として、強調表示の際、ユーザの属性に基づいた強調態様により、強調表示させるようにしてもよい。例えば、ある女性タレントの女性ファン（ユーザの属性が女性の場合）に対しては、強調表示の際、女性タレントの顔画像を表示させるようにし、男性ファン（ユーザの属性が男性の場合）に対しては、強調表示の際、女性タレントの全身画像を表示させる等、ユーザの属性に基づいた強調態様により、強調表示させるようにしてもよい。同様に、ファンの属性が子供であるか大人であるかに基づいて、強調表示の態様を変化させるようにしてもよい。
これにより、ユーザの属性に適した形で強調したい部分を強調表示させることができるので、強調したい部分をユーザに強く印象付けることができる。
【００７０】
また、ユーザがキーワード（人名、番組のカテゴリ名等）を登録している場合に、登録されているキーワードと関連する番組を強調表示させるようにしてもよい。例えば、ユーザがキーワードとして「落語」を登録している場合、落語番組を強調表示させるようにしてもよい。また、ユーザがキーワードとして「オリンピック」「生放送」を登録している場合、オリンピックの生放送番組を強調表示させるようにしてもよい。
【００７１】
また、同一の番組であっても、ユーザによって見どころが異なるケースは存在する。したがって、例えば、ある料理番組の強調表示に際し、「牛」に興味関心があるユーザには黒毛和牛の画像や牛肉の盛り合わせの画像等を表示させ、「おしゃれな店舗」に興味関心があるユーザにはおしゃれな食器の画像等を表示させるようにしてもよい。
【００７２】
また、ユーザがどのプロモーションに対して反応したかを統計情報として取得するようにし、取得した統計情報に基づいて強調表示させるようにしてもよい。ここで、プロモーションに対する反応は、ユーザによるクリック操作等を検出することで、取得することができる。
例えば、ユーザが「食材」に対して反応した場合、「材料」に対して反応するユーザであると読み取ることができるので、「食材」に関連する番組を強調表示させるようにする。また、ユーザが「サッカー」に対して反応した場合、「サッカー」に対して反応するユーザであると読み取ることができるので、「サッカー」に関連する番組を強調表示させるようにする。
これにより、ユーザの行動履歴（統計情報）に基づいて強調したい部分を強調表示させることができるので、強調したい部分をユーザに強く印象付けることができる。
【００７３】
また、強調表示させる条件が複数存在する場合、条件ごとに強調表示させる対象が抽出されるため、強調表示させる対象が意図せず複数となってしまうケースが存在する。この場合、ユーザの注意が分散するため、ユーザに対して適切に強調表示させることができず、ユーザに混乱を招くようなケースも考えられる。そこで、強調表示させる条件に予め優先順位を設けるようにすることで、強調表示させる条件が複数存在する場合には、優先順位の高い条件が優先されるようにするとよい。
例えば、強調表示の際、強調表示を実施するための条件をスコア化し、そのスコアに基づいて優先順位を決定するようにしてもよい。この場合、例えば、スコアの高いものから所定数（例えば３つ）強調表示させるような構成とすることも可能である。
これにより、ユーザの注意が分散することを抑制することができるので、ユーザに対して適切に強調表示させることが可能となり、適切な販促効果を期待することができる。
【００７４】
また、上記実施形態では、本発明の情報処理装置として、端末装置３０を例示して説明しているが、これに限定されるものではない。例えば、本発明の各手段などの要素（表示制御手段２１１、検出手段２１２）を、サーバー１０に備えるようにすれば、サーバー１０のみ、又は、サーバー１０及び端末装置２０が協働して、本発明を実現することも可能である。
【００７５】
また、本出願に示す各態様は、方法、プログラムなどとしても把握することができる。方法やプログラムのカテゴリについては、装置のカテゴリで示した「手段」を、例えば、「工程」や「ステップ」のように適宜読み替えるものとする。また、処理やステップの順序は、本出願に直接明記のものに限定されず、順序を変更したり、一部の処理をまとめて若しくは随時一部分ずつ実行するよう変更したりすることができる。
【００７６】
その他、サーバー、端末装置等、情報処理システムを構成する各装置の細部構成及び各装置の細部動作に関しても、本発明の趣旨を逸脱することのない範囲で適宜変更可能である。
【００７７】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
コンピュータを、
コンテンツを表示手段にスクロール可能に表示させる表示制御手段、
前記表示手段に表示されたページに対するユーザ操作を検出する検出手段、
として機能させ、
前記表示制御手段は、前記検出手段によりユーザによるスクロール操作が検出されている最中に、前記コンテンツのうち強調したい部分のみをスクロールの停止中と比べて強調表示させることを特徴とするプログラム。
＜請求項２＞
前記表示制御手段は、前記検出手段によりユーザによるスクロール操作が検出されている最中のみ、強調表示させることを特徴とする請求項１に記載のプログラム。
＜請求項３＞
前記表示制御手段は、前記強調表示の際、前記強調したい部分と関連する情報を表示させることを特徴とする請求項１又は２に記載のプログラム。
＜請求項４＞
前記コンテンツは、内容的に余分な空白がないコンテンツであることを特徴とする請求項１〜３のいずれか一項に記載のプログラム。
＜請求項５＞
前記コンテンツは、電子番組表であり、
前記表示制御手段は、前記電子番組表に含まれる番組のうち特定の番組の欄のみ、強調表示させることを特徴とする請求項１〜４のいずれか一項に記載のプログラム。
＜請求項６＞
前記表示制御手段は、前記強調表示の際、前記特定の番組の欄のみ、空白又は地色で表示させることを特徴とする請求項５に記載のプログラム。
＜請求項７＞
前記表示制御手段は、前記強調表示の際、前記スクロールの停止中は番組内容を文字で表示する番組欄に、番組に関連する画像を表示させることを特徴とする請求項５に記載のプログラム。
＜請求項８＞
前記表示制御手段は、前記強調表示の際、番組のカテゴリに対応した色で番組欄を表示させることを特徴とする請求項５に記載のプログラム。
＜請求項９＞
前記表示制御手段は、前記強調表示の際、番組の放送時間帯に対応した色で番組欄を表示させることを特徴とする請求項５に記載のプログラム。
＜請求項１０＞
前記コンテンツは、地図であり、
前記表示制御手段は、前記地図に含まれる施設のうち特定の施設のみ、強調表示させることを特徴とする請求項１〜４のいずれか一項に記載のプログラム。
＜請求項１１＞
前記表示制御手段は、前記強調表示の際、前記特定の施設のみ、空白又は地色で表示させることを特徴とする請求項１０に記載のプログラム。
＜請求項１２＞
前記表示制御手段は、前記地図に含まれる施設のうちプロモーション対象の施設のみ、強調表示させることを特徴とする請求項１０に記載のプログラム。
＜請求項１３＞
前記表示制御手段は、前記地図に含まれる施設のうち所定の規模以上の施設のみ、強調表示させることを特徴とする請求項１０に記載のプログラム。
＜請求項１４＞
前記表示制御手段は、前記地図に含まれる施設のうち検索結果に係る施設のみ、強調表示させることを特徴とする請求項１０に記載のプログラム。
＜請求項１５＞
前記表示制御手段は、前記強調表示の際、白抜き表示、虹色表示、モザイク表示及び発光表示のうちいずれか一を強調態様として選択することを特徴とする請求項１〜１４のいずれか一項に記載のプログラム。
＜請求項１６＞
前記表示制御手段は、スクリプト、アプリ及びアドオンのうちいずれか一により、前記強調表示を実現することを特徴とする請求項１〜１５のいずれか一項に記載のプログラム。
＜請求項１７＞
前記表示制御手段は、前記検出手段による前記スクロール操作の検出が完了した後、所定時間強調表示を継続させることを特徴とする請求項１〜１６のいずれか一項に記載のプログラム。
＜請求項１８＞
前記表示制御手段は、前記強調表示の際、前記ユーザの属性に基づいた強調態様により、強調表示させることを特徴とする請求項１〜１７のいずれか一項に記載のプログラム。
＜請求項１９＞
前記表示制御手段は、前記強調表示の際、前記強調表示を実施するための条件をスコア化し、そのスコアに基づいて優先順位を決定することを特徴とする請求項１〜１８のいずれか一項に記載のプログラム。
＜請求項２０＞
コンテンツを表示手段にスクロール可能に表示させる表示制御手段と、
前記表示手段に表示されたページに対するユーザ操作を検出する検出手段と、
を備え、
前記表示制御手段は、前記検出手段によりユーザによるスクロール操作が検出されている最中に、前記コンテンツのうち強調したい部分のみをスクロールの停止中と比べて強調表示させることを特徴とする情報処理装置。
＜請求項２１＞
情報処理装置の情報処理方法であって、
コンテンツを表示手段にスクロール可能に表示させる表示制御ステップと、
前記表示手段に表示されたページに対するユーザ操作を検出する検出ステップと、
を含み、
前記表示制御ステップは、前記検出ステップでユーザによるスクロール操作が検出されている最中に、前記コンテンツのうち強調したい部分のみをスクロールの停止中と比べて強調表示させることを特徴とする情報処理方法。
【符号の説明】
【００７８】
１  情報処理システム
１０  サーバー
２０  端末装置
２１  制御部
２２  操作部
２３  表示部（表示手段）
２４  記憶部
２５  通信部
２１１  表示制御手段
２１２  検出手段
ＷＢ  ウェブブラウザ
Ｎ  通信ネットワーク
【図１】
2019101651.tif 000003
【図２】
2019101651.tif 000004
【図３】
2019101651.tif 000005
【図４】
2019101651.tif 000006
【図５】
2019101651.tif 000007
【図６】
2019101651.tif 000008
【図７】
2019101651.tif 000009
【図８】
2019101651.tif 000010
【図９】
2019101651.tif 000011
【図１０】
2019101651.tif 000012
【図１１】
2019101651.tif 000013
【図１２】
2019101651.tif 000014
【図１３】
2019101651.tif 000015
【図１４】
2019101651.tif 000016
【図１５】
2019101651.tif 000017